(57)【要約】【課題】接点方式により充電する携帯機器の他に、給電コイル４を用いて無接点方式の電磁誘導方式により電力を搬送して充電する携帯機器のいずれにも充電可能とする。【解決手段】本発明の充電用コネクタ１、外部から電力を受ける受電端子２と、携帯機器７に充電電力を供給する接点方式の給電端子３と、電磁誘導方式により携帯機器７に充電電力を供給する給電コイル４と、受電端子２と給電コイル４との間の導通を制御するスイッチ５とを備える。【選択図】図１
2016063659.tif 000002
【特許請求の範囲】
【請求項１】
受電端子と、接点方式の給電端子と、電磁誘導方式により給電する給電コイルと、前記受電端子と前記給電コイルの間の導通を制御するスイッチと、を備える充電用コネクタ。
【請求項２】
上面と下面と側面により囲まれる扁平形状を有し、前記給電コイルと前記スイッチが収納され、前記側面に前記給電端子が固定される筐体を更に備える請求項１に記載の充電用コネクタ。
【請求項３】
前記給電コイルは、扁平な空間に渦巻き状に巻回されて固定され、
前記スイッチは、前記筐体の前記上面から一部が突出部として突出し、前記突出部を押圧することにより前記受電端子と前記給電コイルの間が導通し、前記突出部の押圧が解除されることにより前記受電端子と前記給電コイルの間の導通が切断される請求項２に記載の充電用コネクタ。
【請求項４】
前記筐体は上面視で多角形を有し、
前記給電端子は型式の異なる複数の給電端子を含み、前記多角形の各辺を成す前記側面に前記型式の異なる複数の給電端子がそれぞれ固定される請求項２又は３のいずれか一項に記載の充電用コネクタ。
【請求項５】
前記受電端子はＵＳＢ端子からなる請求項１〜４のいずれか一項に記載の充電用コネクタ。
【請求項６】
前記ＵＳＢ端子はコードに接続される請求項５に記載の充電用コネクタ。
【発明の詳細な説明】
【技術分野】
【０００１】
本発明は、携帯機器の二次電池を充電するための充電用コネクタに関する。
【背景技術】
【０００２】
携帯電話機等の携帯機器が普及している。携帯機器は二次電池を搭載し、持ち運びが自由で場所を選ばずに利用することができる。二次電池の電力が消費されたときは商業用電源や非常用充電器から電力を充電して使用する。携帯機器への充電の際には充電用コネクタを携帯機器の充電用端子に装着し、商業用電源や非常用充電器、或いはＰＣのＵＳＢ端子から充電することができる。
【０００３】
携帯電話機等の携帯機器は充電用端子の型式が製造メーカごと、或いは携帯機器ごとに異なる。そのため、複数種類の携帯機器を使用する場合や、製造メーカの異なる携帯機器を使用する場合は、携帯機器ごとに適合する充電用コネクタを複数使用する、或いは、製造メーカに応じた充電用コネクタを使用する必要があり、利用者にとっては不便であるとともに資源の無駄となる。特に近年では、携帯機器の高機能化に伴い消費電力が増大し、携帯機器の使用に応じて頻繁に充電する必要があることから、充電器及び充電用コネクタを常時携帯する必要がある。製造メーカの異なる複数の携帯機器を使用する場合は、複数の充電用コネクタを常時携帯する必要があり、煩雑である。この問題を解決するために、例えば特許文献１では型式の異なる給電端子を複数備える充電用コネクタが提案されている。
【先行技術文献】
【特許文献】
【０００４】
【特許文献１】特開２００５−３５３３８５号公報
【発明の概要】
【発明が解決しようとする課題】
【０００５】
しかし、近年では、携帯電話機等の携帯機器の充電に接点方式の給電端子を使用しない無接点方式の電磁誘導による充電（以下、電磁誘導方式、と言う。）が利用されてきている。電磁誘導方式の充電では、携帯機器側に受電用コイルを備え、充電側には給電用コイルを備え、電磁誘導により電力を搬送する。そこで、充電用コネクタとして、携帯機器の充電用端子に給電端子を差し込んで充電する接点方式に加えて、電磁誘導方式の充電も可能であれば、利用者にとって便利であり、かつ、資源の無駄も削減することができる。そこで、本発明の充電用コネクタは、接点方式による給電用端子に加えて電磁誘導方式により給電する給電用コイルを備える。
【課題を解決するための手段】
【０００６】
本発明の充電用コネクタは、受電端子と、接点方式の給電端子と、電磁誘導方式により給電する給電コイルと、前記受電端子と前記給電コイルの間の導通を制御するスイッチと、を備えることとした。
【０００７】
また、上面と下面と側面により囲まれる扁平形状を有し、前記給電コイルと前記スイッチが収納され、前記側面に前記給電端子が固定される筐体を更に備えることとした。
【０００８】
また、前記給電コイルは、扁平な空間に渦巻き状に巻回されて固定され、前記スイッチは、前記筐体の前記上面から一部が突出部として突出し、前記突出部を押圧することにより前記受電端子と前記給電コイルの間が導通し、前記突出部の押圧が解除されることにより前記受電端子と前記給電コイルの間の導通が切断されることとした。
【０００９】
また、前記筐体は上面視で多角形を有し、前記給電端子は型式の異なる複数の給電端子を含み、前記多角形の各辺を成す前記側面に前記型式の異なる複数の給電端子がそれぞれ固定されることとした。
【００１０】
また、前記受電端子はＵＳＢ端子からなることとした。
【００１１】
また、前記ＵＳＢ端子はコードに接続されることとした。
【発明の効果】
【００１２】
本発明の充電用コネクタは、受電端子と、接点方式の給電端子と、電磁誘導方式により給電する給電コイルと、受電端子と給電コイルの間の導通を制御するスイッチと、を備える。これにより、接点方式により充電する携帯機器の他に電磁誘導方式により充電する携帯機器のいずれにも充電可能なので、利用者にとって便利であり、資源の無駄を低減することができる。
【図面の簡単な説明】
【００１３】
【図１】本発明の第一実施形態に係る携帯機器用充電器の構成図である。
【図２】本発明の第二実施形態に係る携帯機器用充電器の構成図である。
【図３】本発明の第三実施形態に係る携帯機器用充電器の説明図である。
【発明を実施するための形態】
【００１４】
（第一実施形態）
図１は、本発明の第一実施形態に係る充電用コネクタ１の構成図である。充電用コネクタ１は、受電端子２と、接点方式の複数の給電端子３と、電磁誘導方式により給電する給電コイル４と、受電端子２と給電コイル４の間の導通を制御するスイッチ５と、を備える。
【００１５】
以下、具体的に説明する。図１に示すように、受電端子２は、充電用電源やＰＣのＵＳＢ端子から充電用の電力供給を受ける。給電端子３は、携帯電話機やスマートフォン等の携帯機器の充電用端子に差し込んで給電する。給電端子３は型式の異なる複数の給電端子３ａ〜３ｃを含み、携帯機器の充電用端子の型式が異なる場合でも給電可能とする。給電コイル４は、電磁誘導方式により携帯電話機やスマートフォン等の携帯機器に給電することができる。スイッチ５は、電磁誘導方式により給電するときに受電端子２と給電コイル４との間を電気的に導通させる。電磁誘導方式により給電しないときは受電端子２と給電コイル４との間の導通を切断する。その結果、給電コイル４により無駄に電力が消費されるのを防止することができる。本実施形態は、給電端子３ａ〜３ｃに供給する充電電力と給電コイル４に供給する充電電力を受電端子２が分離して受電する場合である。
【００１６】
なお、給電端子３ａ〜３ｃ、給電コイル４及びスイッチ５は筐体６に収納される。受電端子２は筐体６に設置してもよいし、筐体６からコードを介して電気的に接続してもよい。給電端子３ａ〜３ｃは筐体６の外表面から突出する。スイッチ５は、筐体６の外表面から一部が突出部として突出し、この突出部を押圧することにより受電端子２と給電コイル４の間が導通し、突出部の押圧が解除されることにより受電端子２と給電コイル４の間の導通が切断される構成とすることができる。
【００１７】
（第二実施形態）
図２は、本発明の第二実施形態に係る充電用コネクタ１の構成図である。第一実施形態と異なる点は、受電端子２が受電した単一の充電電力が給電端子３と給電コイル４に供給される点である。従って、以下、第一実施形態と異なる点について説明し、同一の構成については説明を省略する。同一の部分又は同一の機能を有する部分には同一の符号を付している。
【００１８】
図２に示すように、受電端子２は、充電用電源やＰＣのＵＳＢ端子から単一の充電電力の供給を受ける。この場合は、スイッチ５と給電コイル４の間に制御回路１０を設置する。制御回路１０は受電端子２から供給される充電電力を交番電流に変換して給電コイル４に供給する。例えば、受電端子２がＤＣ５．２Ｖの直流電圧を受電する場合に、制御回路１０は５．２Ｖと０Ｖ、或いは５．２Ｖと−５．２Ｖ等の交番電圧を生成し、給電コイル４に供給する。給電コイル４に交番電流が流れると携帯機器側の受電コイルに電磁誘導による電流が発生するので、給電コイル４から携帯機器に給電することができる。本実施形態の場合も、電磁誘導方式により充電しないときはスイッチ５により受電端子２と給電コイル４の間の導通が切断されるので、給電コイル４により無駄に電力が消費されるのを防止する。このように、単一の充電電力を利用することができるので、受電端子２に電力供給する充電器の構成を簡素化することができる。
【００１９】
（第三実施形態）
図３は、本発明の第三実施形態に係る充電用コネクタ１の説明図である。図３（ａ）は充電用コネクタ１の外観図であり、図３（ｂ）は電磁誘導方式により充電用コネクタ１から携帯機器７に給電する様子を表す側面模式図である。同一の部分又は同一の機能を有する部分には同一の符号を付している。
【００２０】
図３（ａ）に示すように、充電用コネクタ１は、受電端子２と、接点方式により給電する５個の給電端子３ａ〜３ｅと、電磁誘導方式により給電する給電コイル４と、受電端子２と給電コイル４の間の導通を制御するスイッチ５と、筐体６を備える。筐体６は、上面ＵＳと下面ＬＳと側面Ｓにより囲まれる扁平形状を有し、給電コイル４とスイッチ５を収納し、５個の給電端子３ａ〜３ｅが各側面Ｓａ〜Ｓｅにそれぞれ固定される。
【００２１】
具体的には、給電コイル４は筐体６の内部の扁平な空間に渦巻き状に巻回されて固定される。筐体６は上面視で略６角形を有する。略６角形の５辺を成す側面Ｓａ〜Ｓｅには型式の異なる５個の給電端子３ａ〜３ｅが側面Ｓａ〜Ｓｅから突出するように固定される。例えば、側面ＳａにはＦＯＭＡ（登録商標）規格の携帯機器用の給電端子３ａが、側面ＳｂにはｉＰｈｏｎｅ５（ｉＰｈｏｎｅは登録商標）の携帯機器用の給電端子３ｂが、側面ＳｃにはｉＰｈｏｎｅ４（ｉＰｈｏｎｅは登録商標）の携帯機器用の給電端子３ｃが、側面ＳｄにはｍｉｃｒｏＵＳＢの給電端子３ｄが、側面ＳｅにはＣＤＭＡ（Ｃｏｄｅ  Ｄｉｖｉｓｉｏｎ  Ｍｕｌｔｉｐｌｅ  Ａｃｃｅｓｓ）規格の携帯機器用の給電端子３ｅがそれぞれ固定される。略６角形の残り１辺を成す側面Ｓｆにはコード８が接続され、コード８の端部に受電端子２が接続される。
【００２２】
スイッチ５は、筐体６の上面ＵＳの略中央に固定され、一部が突出部９として筐体６の上面ＵＳから突出する。スイッチ５は、突出部９を下面ＬＳ側に押圧することにより受電端子２と給電コイル４の間が導通し、受電した充電電力が給電コイル４に供給される。突出部９の押圧を解除することにより、受電端子２と給電コイル４の間の導通が切断され、給電コイル４に充電電力が供給されない。なお、受電端子２は、第一実施形態のように給電端子３ａ〜３ｅに供給する充電電力と給電コイル４に供給する充電電力とを分離して受電してもよいし、第二実施形態のように単一の充電電力を利用するものであってもよい。
【００２３】
図３（ｂ）に示すように、充電用コネクタ１の上面ＵＳを上方に向け、下面ＬＳを机等の平坦面に裁置し、上面ＵＳにスマートフォン等の携帯機器７を載置する。すると、上面ＵＳから突出するスイッチ５の突出部９が押圧され、受電端子２と給電コイル４の間が導通し、筐体６の内部に設置される給電コイル４に充電用電力が供給される。その結果、上面ＵＳの上方に発生した磁場により、携帯機器７の受電コイルに電磁誘導による電流が発生し、携帯機器７に充電電力が供給される。
【００２４】
これにより、充電用端子の型式が異なる携帯機器に充電可能であるとともに、電磁誘導方式により充電する携帯機器にも充電可能なので、複数の携帯機器とともに複数の充電用コネクタを持ち運ぶ煩雑性を解消することができる。更に、電磁誘導方式の充電の際には、充電用コネクタ１の上面ＵＳに携帯機器を載置するだけで簡便に充電することができる。
【００２５】
なお、受電端子２をコード８の一端に設置し、コード８の他端を筐体６に接続することに代えて、筐体６に受電端子２を設置してもよい。例えば、筐体６の側面ＳｆにＵＳＢ端子を設置し、これを受電端子とすることができる。また、スイッチ５は上面ＵＳの略中央の位置に固定することに限定されず、上面ＵＳの周辺の位置であってもよい。また、筐体６は扁平の形状であればよく、平面視略６角形に限定されず、３角形以上の多角形であっても、また、円形や楕円形であってもよい。
【符号の説明】
【００２６】
１  充電用コネクタ
２  受電端子
３、３ａ、３ｂ、３ｃ、３ｄ、３ｅ  給電端子
４  給電コイル
５  スイッチ
６  筐体
７  携帯機器
８  コード
９  突出部
１０  制御回路
ＵＳ  上面、ＬＳ  下面
Ｓ、Ｓａ、Ｓｂ、Ｓｃ、Ｓｄ、Ｓｅ、Ｓｆ  側面
【図１】
2016063659.tif 000003
【図２】
2016063659.tif 000004
【図３】
2016063659.tif 000005